(57)【要約】【課題】  折畳式テントや組立式テントに用いられ、とりわけ膜体（テントシート）の頂部を支持する受体を備えたテントであって、必要に応じて支柱と受体との間に索条を取付けたり取外したりする事ができると共に、この作業を簡単に行える様にする。【解決手段】  受体２、索条３、第二受体４、係止手段５とで構成し、とりわけ受体２の上部に着脱可能に設けられて上面が同じく曲面状を呈する第二受体４と、受体２と第二受体４との間に設けられてこれらの合体に依り索条３の一端を係止する係止手段５とを備えている。【選択図】        図１
2010270433.tif 000002
【特許請求の範囲】
【請求項１】
上面が曲面状を呈して膜体の頂部を支持する受体と、支柱と受体との間や複数の受体同士間に設けられて膜体に張力を与える為の索条とを備えたテントに於て、前記受体の上部に着脱可能に設けられて上面が同じく曲面状を呈する第二受体と、受体と第二受体との間に設けられてこれらの合体に依り索条の一端を係止する係止手段とを備えている事を特徴とするテント。
【請求項２】
索条は、ベルトに依り形成されている請求項１に記載のテント。
【請求項３】
索条は、途中で分離と結合を行う為の連結手段を備えている請求項１に記載のテント。
【請求項４】
索条は、長さを調整する為の長さ調整手段を備えている請求項１に記載のテント。
【請求項５】
係止手段は、第二受体の下面に形成された凸部と、索条の一端に形成されて凸部に挿通される貫孔と、受体の上面に形成されて貫孔に挿通された凸部が嵌合される凹部とを備えている請求項１に記載のテント。
【請求項６】
係止手段は、第二受体の下面に形成されて受体の上面に当合される凸部と、索条の一端に形成されて凸部に挿通される貫孔とを備えている請求項１に記載のテント。
【請求項７】
係止手段は、受体の上面に形成された凹部と、索条の一端に形成されて凹部に嵌合される凸部とを備えている請求項１に記載のテント。
【請求項８】
係止手段は、受体の上面に形成された凹部と、第二受体の下面に形成された凹部と、索条の一端に形成されて両凹部に嵌合される凸部とを備えている請求項１に記載のテント。
【発明の詳細な説明】
【技術分野】
【０００１】
本発明は、例えば折畳式テントや組立式テントに用いられ、とりわけ膜体（テントシート）の頂部を支持する受体を備えたテントの改良に関する。
【背景技術】
【０００２】
従来、この種のテントとしては、例えば次の様なものが知られている。
（１）  膜体の頂部を支持する受体を備えたもの（特許文献１〜３参照）。
（２）  膜体の頂部を支持する受体と、受体と柱体の上部間に介設されてこの間の膜体に張力を与える為の索条とを備えたもの（特許文献４〜６参照）。
【先行技術文献】
【特許文献】
【０００３】
【特許文献１】実用新案登録第２５５０６７１号公報
【特許文献２】実用新案登録第３０５７２２２号公報
【特許文献３】実用新案登録第３０５７２２３号公報
【特許文献４】実公昭３５−３１６４号公報
【特許文献５】特許第２８３６９５６号公報
【特許文献６】特開２００２−１８８３２４号公報
【発明の概要】
【発明が解決しようとする課題】
【０００４】
ところが、前者のものは、索条を備えていないので、それだけ設営が簡単化されるものの、受体と柱体間の膜体が弛んで雨水等が溜まる難点があった。
これに対して、後者のものは、索条を備えているので、設営が煩雑化するものの、受体と柱体間の膜体が弛んで雨水等が溜まるのを防止する事ができる。
つまり、何れのものも、一長一短があって、改善が望まれていた。
【０００５】
本発明は、叙上の問題点に鑑み、これを解消する為に創案されたもので、その課題とする処は、必要に応じて索条を取付けたり取外したりする事ができると共に、この作業を簡単に行える様にしたテントを提供するにある。
【課題を解決するための手段】
【０００６】
本発明のテントは、基本的には、上面が曲面状を呈して膜体の頂部を支持する受体と、柱体と受体との間や複数の受体同士間に設けられて膜体に張力を与える為の索条とを備えたテントに於て、前記受体の上部に着脱可能に設けられて上面が同じく曲面状を呈する第二受体と、受体と第二受体との間に設けられてこれらの合体に依り索条の一端を係止する係止手段とを備えている事に特徴が存する。
【０００７】
受体の上部に第二受体が取付けられると共に、係止手段に依り索条の一端が係止される。そうすると、膜体の頂部が第二受体に依り支持されると共に、第二受体と柱体との間や複数の第二受体同士間の膜体が索条に依り張力が与えられて支持される。従って、これらの間の膜体が弛んで雨水等が溜まる惧れがなくなる。第二受体の上面は、曲面状を呈するので、膜体が広い面積で円滑に支持される。
索条と第二受体が取外された場合は、受体に依り膜体の頂部が支持される。従って、テントの設営に際しては、索条と第二受体を取付ける必要がないので、作業が簡単化される。受体の上面は、曲面状を呈するので、膜体が広い面積で円滑に支持される。
【０００８】
索条は、ベルトに依り形成されているのが好ましい。この様にすれば、接触面積が大きいので、膜体に対して柔軟な当合が期待できると共に、軽量化が図れるので、テントへの負担を軽減する事ができる。
【０００９】
索条は、途中で分離と結合を行う為の連結手段を備えているのが好ましい。この様にすれば、テントの設営に際して、予め分離して置いて後から結合する事ができ、設営作業が容易に行える。
【００１０】
索条は、長さを調整する為の長さ調整手段を備えているのが好ましい。この様にすれば、索条に所定の張力を与える事ができ、これに依って膜体にも所定の張力を付与できる。
【００１１】
係止手段は、第二受体の下面に形成された凸部と、索条の一端に形成されて凸部に挿通される貫孔と、受体の上面に形成されて貫孔に挿通された凸部が嵌合される凹部とを備えているのが好ましい。この様にすれば、凸部と凹部が嵌合されているので、凸部から索条が抜け出る惧れがなくなり、確実に索条を係止する事ができる。
【００１２】
係止手段は、第二受体の下面に形成されて受体の上面に当合される凸部と、索条の一端に形成されて凸部に挿通される貫孔とを備えているのが好ましい。この様にすれば、受体の上面には、凹部等を設ける必要がないので、膜体の支持に支障を与える惧れがないと共に、構造が簡略化されてコストの低減を図る事ができる。
【００１３】
係止手段は、受体の上面に形成された凹部と、索条の一端に形成されて凹部に嵌合される凸部とを備えているのが好ましい。この様にすれば、第二受体の下面には、凸部等を設ける必要がないので、それだけ構造が簡単化されてコストの低減を図る事ができる。
【００１４】
係止手段は、受体の上面に形成された凹部と、第二受体の下面に形成された凹部と、索条の一端に形成されて両凹部に嵌合される凸部とを備えているのが好ましい。この様にすれば、索条が受体と第二受体の両者に依り保持されるので、確実な係止を行う事ができる。
【発明の効果】
【００１５】
本発明に依れば、次の様な優れた効果を奏する事ができる。
（１）  受体、索条、第二受体、係止手段とで構成し、とりわけ受体の上部に着脱可能に設けられて上面が同じく曲面状を呈する第二受体と、受体と第二受体との間に設けられてこれらの合体に依り索条の一端を係止する係止手段とを備えているので、必要に応じて索条を取付けたり取外したりする事ができると共に、この作業を簡単に行える。
（２）  受体と第二受体の上面は、何れも曲面状にしてあるので、膜体の頂部が円滑に移動可能に且つ比較的大きな面積で接触されるので、膜体が破損したりせずに支持する事ができる。
（３）  柱体と受体との間や複数の第二受体同士の間に索条を介設したので、これらの間の膜体を柔軟に支持する事ができる。
【図面の簡単な説明】
【００１６】
【図１】本発明の第一例に係るテントの概要を示す正面図。
【図２】図１の平面図。
【図３】図１の要部を拡大して示す正面図。
【図４】図３の分解正面図。
【図５】図３の分解平面図。
【図６】索条と第二受体を取外した状態を示す図１と同様図。
【図７】本発明の第二例を示す図１と同様図。
【図８】本発明の第三例を示す要部縦断正面図。
【図９】本発明の第四例を示す図８と同様図。
【図１０】本発明の第五例を示す図８と同様図。
【発明を実施するための形態】
【００１７】
以下、本発明の実施の形態を、図面に基づいて説明する。
図１は、本発明の第一例に係るテントの概要を示す正面図。図２は、図１の平面図。図３は、図１の要部を拡大して示す正面図。図４は、図３の分解正面図。図５は、図３の分解平面図。図６は、索条と第二受体を取外した状態を示す図１と同様図である。
【００１８】
テント１は、受体２、索条３、第二受体４、係止手段５とからその主要部が構成されている。
而して、テント１は、基本的には、仮想四角形の四つの角に配置された柱体６と、仮想四角形の四つの辺に位置して隣接する柱体６の上部を相互に連結する梁体７と、柱体６と梁体７に被せられる膜体８と、仮想四角形の中央に位置して膜体８の頂部を担持する受体２と、柱体６や梁体７に設けられて受体２を支持する支持体９とを備えている。
【００１９】
柱体６は、高さ調整可能にしてあり、上側に位置する外柱１０と、これに摺動可能に内嵌された内柱１１と、これの下部に設けられて接地される座板１２と、外柱１０に対して内柱１１を所定高さで固定するロック機構（図示せず）とを備えている。
【００２０】
梁体７は、折畳可能なものにしてあり、柱体６の外柱１０の上部に固定された固定体１３と、これの下側で柱体６の外柱１０に沿って昇降可能に設けられた可動体１４と、固定体１３と可動体１４に夫々一端が枢結されて折畳可能な鋏状連結体１５と、隣接する鋏状連結体１５の他端同士を連結する関節体１６とを備えている。
【００２１】
膜体８は、柱体６の上部の周囲に位置される角筒部１７と、これの上部に連設された角錐部１８とを備えている。
【００２２】
支持体９は、受体２が取付けられる中央内柱１９と、これに摺動可能に外嵌された中央外柱２０と、これの内部に設けられて中央内柱１９を常時上方に付勢する弾性体（図示せず）と、中央外柱２０の下部に固定された中央固定体２１と、これの上側で中央外柱１９に沿って昇降可能に設けられた中央可動体２２と、中央固定体２１及び中央可動体２２と各梁体７の関節体１６との間に折畳可能に設けられた中央鋏状連結体２３とを備えている。
【００２３】
受体２は、上面が曲面状を呈して膜体８の頂部を支持するもので、この例では、上面が曲面状を呈する半球部２４と、これの中央に垂設されて中央内柱１７の上部に内嵌される筒状の取付部２５と、半球部２４の中央に形成されたねじ受穴２６とを備えている。
【００２４】
索条３は、柱体６と受体２との間や複数の受体２同士間に設けられて膜体８に張力を与える為のもので、この例では、可撓性を有するベルトに依り形成されて居り、これの途中で分離と結合を行う為の連結手段２７と、長さを調整する為の長さ調整手段２８とを備えている。
連結手段２７は、雄体２９と雌体３０とから成るバックルに依り構成されて居り、長さ調整手段２８は、バックルの雄体２９に設けられている。つまり、一方の索条３の一端は、バックルの雌体３０に止結されていると共に、他方の索条３の一端は、バックルの雄体２９に設けられた長さ調整手段２８に挿通されている。そして、両索条３の他端には、鳩目に依り貫孔３１が形成されている。
【００２５】
第二受体４は、受体２の上部に着脱可能に設けられて上面が同じく曲面状を呈するもので、この例では、受体２の上面と同様の曲面状を呈する半球部３２と、これの中央に形成されたねじ通穴３３と、これに挿通されて受体２のねじ受穴２６に螺合されるねじ（ドリルねじ）３４とを備えている。
【００２６】
係止手段５は、受体２と第二受体４との間に設けられてこれらの合体に依り索条３の一端を係止するもので、この例では、第二受体４の下面に形成された凸部３５と、索条３の一端に形成されて凸部３５に挿通される貫孔３１と、受体２の上面に形成されて貫孔３１に挿通された凸部３５が嵌合される凹部３６とを備えている。
凸部３５及び凹部３６は、円柱状を呈し、ねじ通穴３３及びねじ受穴２６を中心として等角度毎に八つ設けられている。凹部３６は、上下に貫通する穴にしてある。
【００２７】
固定体１３には、上下に貫通する透孔３７が形成されて居り、索条３の貫孔３１に挿通された取付ピン３８が着脱可能に嵌入される様になっている。
【００２８】
次に、この様な構成に基づいてその作用を述解する。
図１乃至図３に示す如く、受体２の上部に第二受体４が取付けられると共に、係止手段５に依り索条３の一端が係止され、索条３の他端が取付ピン３８に依り柱体６の上部の固定体１３に係止される。そうすると、膜体８の頂部が第二受体４に依り支持されると共に、第二受体４と柱体６との間の膜体８が索条３に依り張力が与えられて支持される。従って、これらの間の膜体８が弛んで雨水等が溜まる惧れがなくなる。
【００２９】
図６に示す如く、索条３と第二受体４が取外された場合は、受体２に依り膜体８の頂部が支持される。従って、テント１の設営に際しては、索条３と第二受体４を取付ける必要がないので、作業が簡単化される。受体２の上面は、曲面状を呈するので、膜体８を広い面積で円滑に支持する事ができる。
【００３０】
索条３は、ベルトに依り形成されているので、接触面積が大きくなって、膜体８に対して柔軟な当合が期待できると共に、軽量化が図れるので、テントへの負担を軽減する事ができる。
索条３は、途中で分離と結合を行う為の連結手段２７を備えているので、テント１の設営に際して、予め分離して置いて後から結合する事ができ、設営作業が容易に行える。
索条３は、長さを調整する為の長さ調整手段２８を備えているので、索条３に所定の張力を与える事ができ、これに依って膜体８にも所定の張力を付与できる。
第二受体４は、上面が曲面状を呈するので、膜体８を広い面積で円滑に支持する事ができる。
係止手段５は、第二受体４の下面に形成された凸部３５と、索条３の一端に形成されて凸部３５に挿通される貫孔３１と、受体２の上面に形成されて貫孔３１に挿通された凸部３５が嵌合される凹部３６とを備えているので、凸部３５と凹部３６が嵌合される事に依り凸部３５から索条３が抜け出る惧れがなくなり、確実に索条３を係止する事ができる。
【００３１】
次に、本発明の第二例を、図７に基づいて説明する。第二例は、受体２が複数（二つ）ある場合を示している。この場合、二つの受体２には、第二受体４が取付けられると共に、二つの受体２同士間には、索条３が設けられている。この様なものは、隣接する受体２同士間にも索条３が設けられているので、これらの間の膜体８が索条３に依り張力が与えられて支持される。従って、受体２同士間の膜体８が弛んで雨水等が溜まる惧れがなくなる。
【００３２】
次に、本発明の第三例を、図８に基づいて説明する。第三例は、係止手段５の変形例を示している。
当該係止手段５は、第二受体４の下面に形成されて受体２の上面に当合される凸部３５と、索条３の一端に形成されて凸部３５に挿通される貫孔３１とを備えている。つまり、第一例に比べて、凸部３５を短くして受体２の凹部３６を割愛したものである。この様なものは、受体２の上面には、凹部等を設ける必要がないので、膜体８の支持に支障を与える惧れがないと共に、構造が簡略化されてコストの低減を図る事ができる。
【００３３】
次に、本発明の第四例を、図９に基づいて説明する。第四例は、係止手段５の別の変形例を示している。
当該係止手段５は、受体２の上面に形成された凹部３６と、索条３の一端に形成されて凹部３６に嵌合される凸部３５とを備えている。第二受体４の下面は、索条３の一端の上面に当合するのが望ましく、凹部３６から凸部３５が抜け出るのが防止される。この様にしたものは、第二受体４の下面には、凸部等を設ける必要がないので、それだけ構造が簡単化されてコストの低減を図る事ができる。
【００３４】
次に、本発明の第五例を、図１０に基づいて説明する。第五例は、係止手段５の更に別の変形例を示している。
当該係止手段５は、受体２の上面に形成された凹部３６と、第二受体４の下面に形成された凹部３６と、索条３の一端に形成されて両凹部３６に嵌合される凸部３５とを備えている。この様なものは、索条３が受体２と第二受体４の両者に依り保持されるので、確実な係止を行う事ができる。
【００３５】
尚、テント１は、先の例では、折畳式であったが、これに限らず、例えば組立式でも良い。
受体２は、先の例では、一つ又は二つであったが、これに限らず、例えば三つ以上であっても良い。
索条３は、先の例では、ベルトであったが、これに限らず、例えばロープやワイヤやケーブル等でも良い。
索条３は、先の例では、連結手段２７や長さ調整手段２８を備えていたが、これに限らず、例えばこれらの一方又は両方を割愛しても良い。
索条３は、先の例では、支柱６と受体２との間や複数の受体２同士間に介設したが、これに限らず、例えば受体２と関節体１６との間に介設しても良い。
係止手段５は、先の例では、凸部３５及び凹部３６が複数（八つ）であったが、これに限らず、例えば単一等でも良い。
【符号の説明】
【００３６】
１…テント、２…受体、３…索条、４…第二受体、５…係止手段、６…柱体、７…梁体、８…膜体、９…支持体、１０…外柱、１１…内柱、１２…座板、１３…固定体、１４…可動体、１５…鋏状連結体、１６…関節体、１７…角筒部、１８…角錐部、１９…中央内柱、２０…中央外柱、２１…中央固定体、２２…中央可動体、２３…中央鋏状連結体、２４…半球部、２５…取付部、２６…ねじ受穴、２７…連結手段、２８…長さ調整手段、２９…雄体、３０…雌体、３１…貫孔、３２…半球部、３３…ねじ通穴、３４…ねじ、３５…凸部、３６…凹部、３７…透孔、３８…取付ピン。
【図１】
2010270433.tif 000003
【図２】
2010270433.tif 000004
【図３】
2010270433.tif 000005
【図４】
2010270433.tif 000006
【図５】
2010270433.tif 000007
【図６】
2010270433.tif 000008
【図７】
2010270433.tif 000009
【図８】
2010270433.tif 000010
【図９】
2010270433.tif 000011
【図１０】
2010270433.tif 000012